(57)【特許請求の範囲】
【請求項１】
ストロボをメイン発光させる前にプリ発光させて測光を行い、複数に分割された測光領域のうち一部の使用領域での測光結果に基づいて前記メイン発光の制御値を演算するカメラシステムにおいて、
前記ストロボの状態又は種類を検知する検知手段と、
この検知手段の検知情報に基づいて、前記使用領域を選択する測光領域選択手段とを有することを特徴とするカメラシステム。
【請求項２】
前記検知手段は、前記ストロボがバウンス状態であるか否かを検知することを特徴とする請求項１に記載のカメラシステム。
【請求項３】
前記検知手段は、前記ストロボがリングストロボであるか否かを検知することを特徴とする請求項１に記載のカメラシステム。
【請求項４】
前記検知手段は、前記ストロボがカメラ本体と離れた位置で制御されるか否かを検知することを特徴とする請求項１に記載のカメラシステム。
【発明の詳細な説明】
【０００１】
【発明の属する技術分野】
本発明は、ストロボをメイン発光させる前にプリ発光させて測光を行い、この測光結果に基づいてメイン発光の適正制御値を演算するカメラシステムに関するものである。
【０００２】
【従来の技術】
被写体に向けて発光した際に、自動的に適正露光を得るように発光量の調節を行うカメラシステムは従来種々提案されている。例えば、露光時にフィルム面に到達する光のフィルム面反射光を測光することにより適正発光量を得るＴＴＬ調光システムや、被写体に向けてプリ発光を行い、このプリ発光の相対光量となるようにメイン発光を制御するシステムのように、ストロボ光の被写体反射光を測光して適正発光量を得るものが、精度が良く多用されている。
【０００３】
ところで、ストロボ撮影の際には、ストロボ光を直接被写体に照射するのが一般的であるが、ストロボ光を天井等に向けて照射して天井等からの拡散反射光を被写体に照射するバウンスストロボ撮影もよく行われる。
【０００４】
図１６には、ストロボ撮影の例を模式的に表したものであり、（Ａ）に通常のストロボ撮影を、（Ｂ）にバウンスストロボ撮影を示している。このようなバウンスストロボ撮影によれば、被写体を間接的に照明することができるため、柔らかい光での描写が可能となる。
【０００５】
また、立体感を強調した撮影を行うために、被写体にカメラと同じ位置からストロボ光を照射するのでなく、カメラと離れた位置からストロボ光を照射するストロボ撮影が行われる場合がある。この場合、ストロボとカメラ本体とはワイヤを介して又はワイヤレスで相互に情報のやり取りを行いながら撮影を行う。
【０００６】
さらに、被写体の近接撮影（マクロ）において、ストロボ光を照射しながら小さいものを大きく撮影するために、レンズの周辺にストロボ照射面を配したリングタイプのストロボが使用されることがある。
【０００７】
【発明が解決しようとする課題】
しかしながら、これらのストロボ撮影における発光量は、被写体がグレーの１８％反射板であると仮定して制御される場合が多く、この場合、真っ白いものも真っ黒いものもすべてグレーになるように制御されてしまうという問題がある。さらに、ガラスなどの正反射物が画面上に存在すると、ストロボの被写体反射光が極端に大きくなり、適正露光量に対して大きくアンダーとなる発光量に制御されてしまうという欠点がある。
【０００８】
なお、特開平４−３３１９３５号公報には、ストロボを露光前にプリ発光させて被写体反射光を多分割測光センサにより測光し、プリ発光の発光量情報と被写体距離情報とに基づいて一部の測光領域を選択して、この選択領域の測光値を用いてメイン発光の発光量を補正演算するという方式が提案されている。
【０００９】
しかしながら、この方式では、カメラから被写体までの距離とストロボから被写体までの距離が等しい通常のストロボ撮影を前提に制御しているものであり、前述のバウンスストロボ撮影やカメラから離れた位置からストロボ光を照射する撮影やマクロ撮影などでは、距離情報に基づく測光領域の選択制御ひいてはメイン発光量の演算が意味をなさなくなり、かえって発光量を不適正に制御してしまうおそれがある。
【００１０】
そこで、本発明の第１の目的は、ストロボの状態や種類に応じて適正なメイン発光量制御ができるようにしたカメラシステムを提供することである。
【００１３】
また、本願発明は、ストロボをメイン発光させる前にプリ発光させて測光を行い、複数に分割された測光領域のうち一部の使用領域での測光結果に基づいてメイン発光の制御値を演算するカメラシステムにおいて、ストロボの状態又は種類を検知する検知手段と、この検知手段の検知情報に基づいて、上記使用領域を選択する測光領域選択手段とを設けている。
【００１４】
すなわち、ストロボがバウンス状態であるか否か、リングストロボであるか否か又はカメラ本体と離れた位置で制御されるか否か等を検知し、この検知情報に応じてメイン発光の制御値演算に使用する測光領域を選択することにより、これらの特殊撮影においても、常に適正なメイン発光量が得られるようにしている。
【００１５】
【発明の実施の形態】
（第１実施形態）
図１は、本発明を１眼レフレックスカメラに適用して実施したストロボ制御カメラシステムの主に光学的な構成を示した横断面図である。
【００１６】
１はカメラ本体であり、この中に写真撮影に必要な光学部品、メカ部品、電気回路およびフィルムなどが収納されている。２は主ミラーであり、この主ミラー２は観察状態と撮影状態とに応じて撮影光路内に斜設されたり撮影光路内から退去されたりする。また、主ミラー２はハーフミラーとなっており、撮影光路内に斜設されているときも、後述する焦点検出光学系に被写体からの光線の約半分を透過させている。
【００１７】
３は撮影レンズ１２〜１４の予定結像面に配置されたピント板であり、４はファインダー光路変更用のペンタダハプリズムである。また、５はファインダーであり、撮影者はこのファインダー５を通してピント板３を観察することで、撮影画面を観察することができる。６，７はそれぞれ、観察画面内の被写体輝度を測定するための結像レンズと多分割測光センサーであり、結像レンズ６はペンタダハプリズム４内の反射光路を介してピント板３と多分割測光センサー７とを共役に関係付けている。
【００１８】
ここで、多分割測光センサ７の機能を詳細に説明する。図２には、撮影画面上の測光エリアの分割図を示している。４０は撮影画面全体を表している。４１は多分割測光センサ７の撮影画面上の測光するエリア分割を表していて、Ｅ０，Ｅ１，Ｅ２，Ｅ３，Ｅ４，Ｅ５のように撮影画面を６個のエリアに分割している。このように撮影画面と共役に関係付けられた多分割測光センサ７は、撮影画面を分割してそれぞれの輝度値を測光し出力することができる。
【００１９】
図１における８はシャッターである。９は感光部材であり、銀塩フィルム等より形成されている。２５はサブミラーであり、このサブミラー２５は、被写体からの光線を下方に折り曲げて、焦点検出ユニット２６の方に導いている。
【００２０】
焦点検出ユニット２６内には、２次結像ミラー２７、２次結像レンズ２８、焦点検出ラインセンサ２９等が配設されている。２次結像ミラー２７および２次結像レンズ２８は、焦点検出光学系を形成しており、この焦点検出光学系は、撮影光学系の２次結像面を焦点検出ラインセンサ２９上に結んでいる。焦点検出ユニット２６は、後述の電気回路の処理により、既知の位相差検出法により撮影画面内の被写体の焦点状態を検出して撮影レンズの焦点調節機構を制御することにより自動焦点検出装置を実現している。この自動焦点検出装置は、画面内の所定の３点の焦点状態を検出するものである。図２にその３点の位置を示している。測距点のＰ０，Ｐ１，Ｐ２がその位置である。
【００２１】
図１における１０は公知のカメラとレンズとのインターフェイスとなるマウント接点群であり、１１はカメラ本体に据え付けられるレンズ鏡筒である。１２〜１４は撮影レンズである。１２は１群レンズであり、この１群レンズ１２は光軸上を左右に移動することで、撮影画面のピント位置を調整する。１３は２群レンズであり、この２群レンズ１３は光軸上を左右に移動することで、撮影画面を変倍させ、撮影レンズの焦点距離を変更させる。１４は３群固定レンズである。１５は撮影レンズ絞りである。
【００２２】
１６はその１群レンズ駆動モータであり、自動焦点調節動作に従ってこのモータ１６の作動を制御して１群レンズ１２を左又は右に移動させることにより自動的にピント位置を調整することができる。１７はレンズ絞り駆動モータであり、このモータ１７の作動を制御することにより撮影レンズ絞りを開放にしたり、絞ったりすることができる。
【００２３】
１８は外付けストロボである。このストロボ１８は、カメラ本体１に取り付けられ、カメラからの信号に従って発光制御を行う。１９はキセノン管であり、このキセノン管１９は、電流エネルギーを発光エネルギーに変換する。２０，２１はそれぞれ反射笠とフレネルレンズであり、これらは発光エネルギーを効率良く被写体に向けて集光する役目を有する。２２はカメラ本体１と外付けストロボ１８とのインターフェースとなる公知のストロボ接点群である。
【００２４】
３０はグラスファイバーであり、このグラスファイバー３０はキセノン管１９が発光した光をモニタ用の受光素子（ＰＤ１）３１に導いている。受光素子３１はストロボのプリ発光およびメイン発光の発光量を直接測光しているものであり、本発明のポイントとなるメイン発光量制御のために設けられたものである。３２はキセノン管１９の発光した光をモニタする受光素子（ＰＤ２）である。受光素子３２の出力により、キセノン管１９の発光電流を制限してストロボをフラット発光させることができる。
【００２５】
さらに、３３はストロボがバウンス状態になっているか否かを検知するスイッチである。
【００２６】
なお、図１では、本発明を実現するために必要な部材のうち、光学メカ部材のみ記しており、その他に電気回路部材が必要となるが、ここでは省略してある。図３および図４に、本カメラシステムの電気回路ブロック図を示しており、図１に示した部材には同じ符号を付しているある。なお、図３に、カメラ本体側とレンズ側の回路ブロックを示し、図４に、ストロボ側の回路ブロックを示している。
【００２７】
カメラマイコン１００は、発振器１０１で作られるクロックをもとに所要の演算処理動作を行う。
【００２８】
ＥＥＰＲＯＭ１００ｂは、フィルムカウンタその他の撮影情報を記憶する。Ａ／Ｄ変換器１００ｃは、焦点検出回路１０５および測光回路１０６からのアナログ信号をＡ／Ｄ変換する。カメラマイコン１００は、Ａ／Ｄ変換器１００ｃからのＡ／Ｄ値を信号処理することにより各種状態を設定する。
【００２９】
カメラマイコン１００には、焦点検出回路１０５、測光回路１０６、シャッター制御回路１０７、モータ制御回路１０８、フィルム走行検知回路１０９、スイッチセンス回路１１０および液晶表示回路１１１が接続されている。
【００３０】
また、カメラマイコン１００は撮影レンズ内に配置されたレンズマイコン１１２との間でマウント接点群１０を介して信号の伝達を行い、ストロボ１８が直接カメラ本体１に取り付けられた状態では、ストロボ１８内に配置されたストロボマイコン２００との間でストロボ接点群２２を介して信号の伝達を行う。さらに、カメラ本体１には、送受信回路１１３、赤外光の受信センサ５０および送信赤外ＬＥＤ５１を備えており、カメラマイコン１００は、これらを介してカメラ本体１と空間的に離れた位置にあるストロボ１８（ストロボマイコン２００）と通信することができる。
【００３１】
ラインセンサー２９は、前述したファインダー上の３つの測距点に対応した３組のラインセンサーＬｉｎｅ−Ｌ、Ｌｉｎｅ−Ｃ、Ｌｉｎｅ−Ｒから構成される公知のＣＣＤラインセンサである。焦点検出回路１０５は、カメラマイコン１００からの信号に従い、これらラインセンサ２９の蓄積制御と読み出し制御を行って、それぞれの画素情報をカメラマイコン１００に出力する。カメラマイコン１００は、この画素情報をＡ／Ｄ変換し、周知の位相差検出法による焦点検出を行う。また、カメラマイコン１００は、焦点検出情報により、レンズマイコン１１２と信号のやりとりを行ってレンズの焦点調節を行う。
【００３２】
測光回路１０６は、画面内の各エリアの輝度信号として、前述したように画面内を６個のエリアに分割した多分割測光センサ７からの出力をカメラマイコン１００に出力する。測光回路１０６は、被写体に向けてストロボ光をプリ発光していない定常状態とプリ発光しているプリ発光状態との双方の状態で輝度信号を出力する。カメラマイコン１００はこの輝度信号をＡ／Ｄ変換し、撮影の露出の調節のための絞り値の演算とシャッタースピードの演算および露光時のストロボメイン発光量の演算を行う。
【００３３】
シャッター制御回路１０７は、カメラマイコン１００からの信号に従って、シャッター先幕（ＭＧ−１）およびシャッター後幕（ＭＧ−２）を走行させ、露出動作を制御する。
【００３４】
モータ制御回路１０８は、カメラマイコン１００からの信号に従ってモータＭを制御することにより、主ミラー２の斜設・退去（アップダウン）、シャッターのチャージおよびフィルムの給送を行わせる。
【００３５】
フィルム走行検知回路１０９は、フィルム給送時にフィルムが１駒分巻き上げられたかを検知し、カメラマイコン１００に信号を送る。
【００３６】
ＳＷ１は不図示のレリーズボタンの第１ストローク操作でＯＮになり、測光およびＡＦを開始させるスイッチである。ＳＷ２はレリーズボタンの第２ストローク操作によりＯＮになり、露光動作を開始させるスイッチである。ＳＷ１，ＳＷ２及びその他不図示のカメラの操作部材からの信号は、スイッチセンス回路１１０が検知し、カメラマイコン１００に送られる。
【００３７】
ＳＷＸは、シャッターの全開にともなってＯＮし、ストロボ１８に露光時メイン発光の発光タイミングを指示する。
【００３８】
液晶表示回路１１１は、図２に具体的に示すファインダー内ＬＣＤ４１（２４）とここには図示しないモニター用ＬＣＤ４２の表示をカメラマイコン１００からの信号に従って制御する。
【００３９】
次に、レンズ１１の構成について説明する。カメラ本体１とレンズ１１はマウント接点群１０を介して相互に電気的に接続される。このマウント接点群１０は、レンズ１１内のフォーカス駆動モータ１６および絞り駆動モータ１７の電源用接点であるＬ０と、レンズマイコン１１２の電源用接点であるＬ１と、公知のシリアルデータ通信を行う為のクロック用接点Ｌ２と、カメラ本体１からレンズ１１へのデータ送信用接点Ｌ３と、レンズ１１からカメラ本体１へのデータ送信用接点Ｌ４と、モータ用電源に対するモータ用グランド接点であるＬ５と、レンズマイコン１１２用電源に対するグランド接点であるＬ６とで構成されている。
【００４０】
レンズマイコン１１２は、これらのマウント接点群１０を介してカメラマイコン１００と接続され、フォーカス駆動モータ１６および絞り駆動モータ１７を動作させて、レンズの焦点調節と絞りを制御している。３５、３６は光検出器とパルス板である。レンズマイコン１１２は、光検出器３５を通じてパルス板３６の回転角度（パルス数）をカウントすることにより、１群レンズ１２の位置情報を得ることができ、レンズの焦点調節を行ったり被写体の絶対距離情報をカメラマイコン１００に伝達したりすることができる。
【００４１】
次に、ストロボ１８の構成について説明する。ストロボマイコン２００は、カメラマイコン１００からの信号に従ってストロボの制御を行う回路であり、発光量の制御、フラット発光の発光強度および発光時間の制御や、発光照射角の制御等を行う。
【００４２】
２０１はＤＣ／ＤＣコンバータで、ストロボマイコン２００の指示により電池電圧を数１００Ｖに昇圧し、メインコンデンサＣ１を充電する。
【００４３】
Ｒ１／Ｒ２は、メインコンデンサＣ１の電圧をストロボマイコン２００がモニタするために設けられた分圧抵抗である。ストロボマイコン２００は、分圧された電圧をストロボマイコン２００に内蔵されたＡ／Ｄ変換器（図示せず）によりＡ／Ｄ変換し、メインコンデンサＣ１の電圧を間接的にモニタしてＤＣ／ＤＣコンバータ２０１の動作を制御し、メインコンデンサＣ１の電圧を所定の電圧に制御する。
【００４４】
２０２はトリガ回路で、ストロボ発光時にストロボマイコン２００を介してカメラマイコン１００から受けた指示やＳＷＸ信号によりトリガ信号を出力し、キセノン管１９のトリガ電極に数千ボルトの高電圧を印加してキセノン管１９の放電を誘発する。これにより、メインコンデンサＣ１に蓄えられた電荷エネルギーがキセノン管１９を介して光エネルギーとして放出される。
【００４５】
２０３はＩＧＢＴ等のスイッチング素子を用いた発光制御回路であり、発光時のトリガー電圧印加時には導通状態となってキセノン管１９に電流を流し、発光停止時には遮断状態となってキセノン管１９の電流の流れを遮断し、発光を停止させる。
【００４６】
２０４、２０５はコンパレータである。コンパレータ２０４は、後述の閃光発光時の発光停止に用いられ、２０５は後述のフラット発光時の発光強度制御に用いられる。２０６はデータセレクタで、ストロボマイコン２００からの選択信号ＳＥＬ１、ＳＥＬ０に従い、端子Ｄ０から端子Ｄ２からの入力を選択し、端子Ｙに出力する。
【００４７】
２０７は閃光発光制御用モニタ回路であり、受光素子３１の出力を対数圧縮し、増幅する。２０８は閃光発光制御用モニタ回路２０７の出力を積分する積分回路である。２０９はフラット発光制御用モニタ回路であり、受光素子３２の出力を増幅する。２１０はフラット発光時間等を記憶するＥＥＰＲＯＭ又はフラッシュＲＯＭ等の書込み可能なメモリである。
【００４８】
２１１は公知のモータ駆動回路、２１２はストロボズーム駆動モータ、２１３はピニオンギア、２１４はラックギア、２１５は反射笠２０のフレネルレンズ２１に対する位置を検出するストロボズーム位置検出用エンコーダ、２１６は発光可能を示すＬＥＤである。
【００４９】
また、２１７は送受信回路、２１８は受信センサ、２１９は送信赤外ＬＥＤである。
【００５０】
さらに、ＳＷＢは、ストロボ１８がバウンス状態であるか否かを検知するためのバウンス検知スイッチである。
【００５１】
次に、ストロボマイコン２００の各端子について説明する。ＣＫはカメラとのシリアル通信を行うための同期クロックの入力端子、ＤＩはシリアル通信データの入力端子、Ｄ０はシリアル通信のデータ出力端子、ＣＨＧはストロボの発光可能状態を電流としてカメラに伝える出力端子、Ｘはカメラからの発光信号の入力端子である。
【００５２】
また、ＥＣＫはストロボマイコン２００の外部に接続されたメモリ２１０とシリアル通信を行うための通信クロックを出力する出力端子、ＥＤＩはメモリ２１０からのシリアルデータの入力端子、ＥＤＯはメモリ２１０へのシリアルデータの出力端子、ＳＥＬＥはメモリ２１０との通信を許可するイネーブル端子である。なお、イネーブル端子ＳＥＬＥからの出力信号がＬｏのときにイネーブル状態になり、Ｈｉのときにディスエーブル状態となる。
【００５３】
また、本実施例ではストロボマイコンの外部にメモリ２１０を設けたが、このメモリ２１０は、ストロボマイコン２００に内蔵されていてもよい。
【００５４】
ＰＯＷはパワースイッチ２２０の状態を入力する入力端子、ＯＦＦはパワースイッチ２２０と接続されたときにストロボをオフ状態にするための出力端子、ＯＮはパワースイッチ２２０と接続されたときにストロボをオン状態にするための出力端子である。入力端子ＰＯＷは、パワーＯＮ状態ではＯＮ端子と接続され、その際のＯＮ端子はハイインピーダンス状態となり、ＯＦＦ端子はＬｏ状態となる。一方、パワーＯＦＦ状態ではその逆になる。
【００５５】
ＬＥＤは発光可能を表示する表示出力端子である。また、ＩＤＩは、赤外光でカメラ１と通信するときのデータの入力端子、ＩＤＯはシリアルデータの出力端子である。
【００５６】
ＳＴＯＰは発光停止信号の入力端子である。なお、入力端子ＳＴＯＰに入力される信号がＬｏのときに発光停止状態になる。ＳＥＬ０、ＳＥＬ１はデータセレクタ２０６の入力選択を指示するための出力端子であり、出力端子ＳＥＬ０、ＳＥＬ１からの信号の組み合わせが（ＳＥＬ１，ＳＥＬ０）＝（Ｌｏ，Ｌｏ）のときはＤ０端子がＹ端子に接続され、同様に（Ｌｏ，Ｈｉ）のときはＤ１端子がＹ端子に接続され、（Ｈｉ，Ｌｏ）のときはＤ２端子がＹ端子に接続される。
【００５７】
ＤＡ０はストロボマイコン２００に内蔵されたＤ／Ａ変換器の出力端子であり、コンパレータ２０４、２０５のコンパレートレベルをアナログ電圧で出力する。ＴＲＩＧはトリガ回路２０２に発光を指示するトリガ信号出力端子である。ＣＮＴはＤＣ／ＤＣコンバータ２０１によるメインコンデンサＣ１の充電開始停止を制御する出力端子で、この出力端子ＣＮＴからの出力信号がＨｉのときに充電が開始され、Ｌｏのときに充電が停止される。
【００５８】
ＩＮＴは積分回路２０８の積分の開始／禁止を制御する端子であり、この端子ＩＮＴの出力信号がＨｉのときに積分が禁止され、Ｌｏのときに積分が許可される。
【００５９】
ＡＤ０、ＡＤ１はＡ／Ｄ入力端子であり、入力される電圧をマイコン２００内部で処理できるようにディジタルデータに変換するものである。ＡＤ０はメインコンデンサＣ１の電圧をモニタするものであり、ＡＤ１は積分回路２０８の積分出力電圧をモニタするものである。
【００６０】
Ｚ０、Ｚ１はストロボズーム駆動モータ２１２を駆動するモータ制御回路２１１を制御する制御出力端子であり、ＺＭ０、ＺＭ１、ＺＭ２はストロボズーム位置検出エンコーダ２１５からの信号を入力する入力端子、ＣＯＭ０はストロボズーム位置検出エンコーダ２１５のグランドレベルに相当する電流引き込みを行う共通端子である。
【００６１】
ＢＯＵＮＣＥはストロボ１８がバウンス状態であるか否かを示す信号（ＳＷＢからの信号）を入力する端子である。
【００６２】
次に、このストロボ１８のそれぞれの動作を説明しながら回路の動作を説明する。
【００６３】
＜発光可能状態の検知＞
ストロボマイコン２００は、ＡＤ０ポートに入力されたメインコンデンサＣ１の分圧された電圧をＡ／Ｄ変換し、メインコンデンサＣ１の電圧が発光可能な所定電圧以上であると判別すると、ＣＨＧ端子から所定電流を吸い込んで、カメラ１に発光可能を伝えるとともに、ＬＥＤ端子にＨｉを設定する。これによりＬＥＤ２１６が発光して発光可能が表示される。
【００６４】
ストロボマイコン２００は、メインコンデンサＣ１の電圧が所定電圧未満であると判別したときは、ＣＨＧ端子をノンアクティブに設定して電流を遮断し、カメラに発光不能を伝えるとともに、ＬＥＤ端子をＬｏに設定する。これにより、ＬＥＤ２１６が消灯して発光不能が表示される。
【００６５】
＜ストロボ照射角の設定＞
ストロボマイコン２００は、ＺＭ０〜ＺＭ２端子から現在のストロボズーム位置を読み込み、シリアル通信によってカメラマイコン１００から指示されたストロボズーム位置になるように、Ｚ０、Ｚ１端子を介して所定の信号をモータ駆動回路２１１に出力し、ストロボズーム駆動モータ２１２を駆動する。
【００６６】
＜プリフラット発光＞
ストロボ１８が発光可能状態のとき、カメラマイコン１００はストロボ１８に対してプリ発光の発光強度と発光時間を通信するとともに、プリ発光の実行を指示することができる。
【００６７】
ストロボマイコン２００は、カメラマイコン１００により指示された所定発光強度信号に応じて、ＤＡ０に所定の電圧を設定する。次に、ＳＥＬ１，ＳＥＬ０に（Ｌｏ，Ｈｉ）を設定し、入力端子Ｄ１を選択する。このときキセノン管１９はまだ発光していないので、受光素子３２の光電流はほとんど流れず、モニタ回路２０９からもコンパレータ２０５の反転入力端子に入力される信号が出力されないため、コンパレータ２０５の出力はＨｉとなり、発光制御回路２０３は導通状態となる。そして、ＴＲＩＧ端子よりトリガ信号を出力すると、トリガ回路２０２は高圧を発生してキセノン管１９を放電させ、ストロボ発光（プリ発光）が開始される。
【００６８】
一方、ストロボマイコン２００は、トリガ発生から所定時間の経過後、積分回路２０８に積分開始を指示し、これにより積分回路２０８はモニタ回路２０７の出力、すなわち光量積分用の受光素子３１の対数圧縮された光電出力の積分を開始する。これと同時に、ストロボマイコン２００は、所定時間をカウントするタイマーを起動させる。
【００６９】
プリ発光が開始されると、フラット発光の発光強度制御用受光素子３２の光電流が多くなり、モニタ回路２０９の出力電圧が上昇し、この出力電圧がコンパレータ２０５の非反転入力に設定されている所定のコンパレート電圧より高くなると、コンパレータ２０５の出力はＬｏに反転し、発光制御回路２０３はキセノン管１９の発光電流を遮断する。これにより、キセノン管１９の放電ループは断たれるが、ダイオードＤ１およびコイルＬ１により環流ループが形成されているため、発光電流は、回路の遅れによるオーバーシュートが収まった後は徐々に減少する。
【００７０】
発光電流の減少に伴い、発光強度が低下するので、受光素子３２の光電流は減少し、モニタ回路２０９の出力が低下し、この出力が所定のコンパレートレベル以下に低下すると、再びコンパレータ２０５の出力はＨｉに反転し、発光制御回路２０３が導通してキセノン管１９の放電ループが形成され、発光電流が増加し発光強度も増加する。このように、ＤＡ０に設定された所定のコンパレート電圧を中心に、コンパレータ２０５は短い周期で発光強度の増加減少を繰り返し、その結果、所望のほぼ一定の発光強度で発光を継続させるフラット発光の制御が行われる。
【００７１】
前述の発光時間タイマがカウントアップし、所定のプリ発光時間が経過すると、ストロボマイコン２００はＳＥＬ１、ＳＥＬ０を（Ｌｏ，Ｌｏ）に設定する。これにより、データセレクタ２０６の入力はＤ０すなわちＬｏレベル入力が選択され、出力は強制的にＬｏレベルとなり、発光制御回路２０３はキセノン管１９の放電ループを遮断し、発光を終了させる。
【００７２】
発光終了時に、ストロボマイコン２００は、プリ発光を積分した積分回路２０８の出力をＡ／Ｄ入力端子ＡＤ１から読み込み、Ａ／Ｄ変換し、積分値すなわちプリ発光時の発光量をディジタル値（ＩＮＴｐ）として読み取る。
【００７３】
なお、このプリ発光の被写体に対するガイドナンバー（Ｑｐｒｅ）は、メインコンデンサＣ１の充電電圧とストロボの照射角から表１のように求められ、カメラマイコン１００にはそのデータがシリアル通信で送られる。
【００７４】
【表１】
0003706659.tif 000002
【００７５】
また、このガイドナンバー（Ｑｐｒｅ）のデータは理論値であるため、モニタ回路２０７および積分回路２０８によってプリ発光の積分値を実測した値で補正しても良い。
【００７６】
＜メイン発光制御＞
カメラマイコン１００は、プリ発光時の多分割測光センサ７からの被写体反射光輝度値等から、メイン発光量のプリ発光量に対する適正相対値（ｒ）を求め、ストロボマイコン２００に送る。
【００７７】
ストロボマイコン２００は、プリ発光時の測光積分値（ＩＮＴｐ）にカメラマイコン１００からの適正相対値（ｒ）の値を掛け合わせて適正積分値（ＩＮＴｍ）を求め、ＤＡ０出力に適正積分値（ＩＮＴｍ）を設定する。
【００７８】
次にＳＥＬ１、ＳＥＬ０に（Ｈｉ，Ｌｏ）を設定し、入力Ｄ２を選択する。このとき積分回路２０８は動作禁止状態なので、積分回路２０８の出力は発生しない。このため、コンパレータ２０４の出力はＨｉになり、発光制御回路２０３は導通状態となる。
【００７９】
次に、ＴＲＩＧ端子よりトリガ信号を出力すると、キセノン管１９からの発光を開始される。また、ストロボマイコン２００は、トリガ印加によるトリガノイズが収まり、実際の発光が開始される１０数μｓｅｃ後に積分開始端子ＩＮＴをＬｏレベルに設定する。これにより、積分回路２０８は受光素子３１からの出力をモニタ回路２０７を介して積分する。積分出力がＤＡ０で設定された所定電圧に到達すると、コンパレータ２０４は反転し、データセレクタ２０６を介して発光制御回路２０３は導通を遮断され、発光が停止される。
【００８０】
一方、ストロボマイコン２００は、ＳＴＯＰ端子をモニタし、ＳＴＯＰ端子が反転し発光が停止すると、ＳＥＬ１、ＳＥＬ０端子を（Ｌｏ，Ｌｏ）に設定し、強制発光禁止状態に設定するとともに、積分開始端子ＩＮＴを反転し、積分を終了し、発光処理を終了する。以上のようにして、メイン発光を適正な発光量に制御することができる。
【００８１】
次に、図５〜図８を用いて、本カメラシステムの動作フローをカメラマイコン１００の動作を中心に説明する。なお、図５および図６のフローは、丸囲みのＡの部分でつながっている。カメラの動作が開始すると、まずステップ（以下、＃と略す）１０１で、ＳＷ１がＯＮか否かを判別し、ＯＦＦのときはこのステップを繰り返し、ＯＮのときは＃１０２に進む。
【００８２】
＃１０２では、スイッチセンス回路１１０より、不図示のカメラの各操作スイッチを読み込み、シャッタースピードの決め方や、絞りの決め方等様々な撮影モードの設定を行う。
【００８３】
次に、＃１０３で、＃１０２にて設定されたカメラの撮影モードのうち、カメラが自動焦点検出動作を行うモード（ＡＦモード）であるか、そうでないモード（ＭＦモード）であるかを判別し、ＡＦモードであれば＃１０４、１０５を処理した後＃１０６へ進む。ＭＦモードであれば、すぐに＃１０６へ進む。
【００８４】
＃１０４では、焦点検出回路１０５を駆動することにより周知の位相差検出法による焦点検出動作を行う。さらにその結果の焦点状態によりレンズ１１側と通信を行うことによってレンズの焦点調節を行う。ここで、焦点検出するポイントは、図２で説明したように画面上に３ポイントあり、そのうちのどのポイントの被写体にピントを合わせるか（測距ポイント）は、前述のスイッチ読込により設定されたカメラの撮影モードに応じて、撮影者が任意に決定したり、近点優先を基本の考え方とした周知の自動選択アルゴリズムで決定したりする。
【００８６】
＃１０５では、＃１０４で決定された測距ポイントをＦｏｃｕｓ．Ｐとして、カメラマイコン１００内のＲＡＭ（ランダムアクセスメモリー）に記憶させる。
＃１０６では、画面上の６つのエリアの被写体輝度値を測光回路１０６より得る。その輝度値は、
ＥＶｂ（ｉ）  （ｉ＝０〜５）
として、ＲＡＭに記憶させる。
【００８７】
次に、＃１０７で、６つのエリアの被写体輝度値ＥＶｂから、周知のアルゴリズムにより露出値（ＥＶｓ）を決定する。そして、前述のスイッチ読込により設定されたカメラの撮影モードに従って、シャッタースピードの値（ＴＶ）と絞りの値（ＡＶ）を決定する。
【００８８】
さらに、＃１０８で、レンズマイコン１１２とデータの通信を行い、撮影レンズの情報である、
焦点距離（ｆ）
被写体との距離の最小値（Ｄｉｓｔ＿ｍｉｎ）
被写体との距離の最大値（Ｄｉｓｔ＿ｍａｘ）
等を受信する。ここで、被写体との距離が最小値と最大値と２種類あるのは、撮影レンズの被写体との距離情報の分解能が荒いためであり、例えば１ｍ〜１．５ｍの範囲に撮影レンズの距離環が合っている等ということを示しており、この場合は、最小値が１ｍというデータで、最大値が１．５ｍというデータとなる。
【００８９】
次に、＃１０９で、焦点距離情報（ｆ）等をストロボ側に送信する。これにより、ストロボマイコン２００は焦点距離情報（ｆ）に基づいてモータ駆動回路２１１を駆動してストロボの照射角を制御する。
【００９０】
続いて、＃１１０で、ＳＷ２がＯＮであるか否かを判別し、ＯＦＦであれば＃１０１〜１１０までの動作を繰り返し、ＯＮであれば＃１１１以下の一連のレリーズ動作に進む。
【００９１】
＃１１１では、プリ発光の直前に被写体輝度を測光回路１０６により得る。その輝度値は、
ＥＶａ（ｉ）  （ｉ＝０〜５）
として、ＲＡＭに記憶させる。
【００９２】
＃１１２では、ストロボ側に対してプリ備発光の命令を行う。ストロボマイコン２００はこの命令に従って、前述したようにプリ発光動作を行う。そして、＃１１３で、プリ発光のフラット発光が持続している間に被写体輝度を測光回路１０６により得る。その輝度値は、
ＥＶｆ（ｉ）  （ｉ＝０〜５）
として、ＲＡＭに記憶させる。
【００９３】
続いて＃１１４で、露光動作に先立って主ミラー２をアップさせ、サブミラー２５ともども撮影光路内から退去させる。
【００９４】
次に、＃１１５で、次式のように＃１１３のプリ発光持続時の被写体輝度値ＥＶｆから＃１１１のプリ発光直前の被写体輝度値ＥＶａを伸張したあと差分をとることにより、予備発光反射光分のみの輝度値ＥＶｄｆ（ｉ）を抽出する。
【００９５】
ＥＶｄｆ（ｉ）←ＬＮ2 （２EVf(i)−２EVa(i)）    （ｉ＝０〜５）
次に、＃１１６で、ストロボ側より以下のような各種データを受信する。
【００９６】
プリ発光量ガイドナンバー（Ｑｐｒｅ）
バウンスフラグ（Ｆ＿Ｂｏｕｎｃｅ）
ここで、プリ発光量ガイドナンバー（Ｑｐｒｅ）は、ストロボマイコン２００がレンズの焦点距離情報（ｆ）やメインコンデンサＣ１の充電電圧などから求めた値である。また、バウンスフラグ（Ｆ＿Ｂｏｕｎｃｅ）は、ストロボマイコン２００がＢＯＵＮＣＥポートの入力をもとに送ってくるフラグである。
【００９７】
次に、＃１１７で、測距ポイント（Ｆｏｃｕｓ．ｐ）、焦点距離（ｆ）、プリ発光量（Ｑｐｒｅ）およびバウンスフラグ（Ｆ＿Ｂｂｏｕｎｃｅ）等から、ストロボ光量を多分割の６つの測光エリアのうちどのエリアの被写体に対して、適正にもって行くべきかをを選出する。選出されたエリアをＰ（０〜５のうちのどれか）として、ＲＡＭ内に記憶させる。なお、この＃１１７についてのさらに詳しい説明を後述する。
【００９８】
さらに、＃１１８で、前述の選出エリア（Ｐ）について、レンズからの焦点距離情報（ｆ）や被写体からの距離情報（Ｄｉｓｔ）等と照らし合わせて適当な被写体であるかを判別し、もしその被写体が異常反射物であると判断されたときは、メイン発光量を補正する。ここでのメイン発光量の補正は、プリ発光反射光分のみの輝度値ＥＶｄｆ（ｐ）を補正することによって、次の＃１１９で演算されるメイン発光量のプリ発光量に対する相対比ｒを補正後の輝度値ＥＶｄｆ（ｐ）に対応させることにより行われる。この部分は本発明のポイントとなる部分であり、後で詳細に説明する。
【００９９】
上記のように＃１１９で、次式を用いて、露出値（ＥＶｓ）と被写体輝度（ＥＶｂ）とプリ発光反射光分のみの輝度値ＥＶｄｆ（ｐ）とから、選出されたエリア（Ｐ）の被写体について、プリ発光量に対して適正となるメイン発光量の相対比を求める。
【０１００】
ｒ←ＬＮ2 （２EVs −２EVb(p)）−ＥＶｄｆ（ｐ）
ここで、露出値（ＥＶｓ）から被写体輝度（ＥＶｂ）の伸張したものの差分をとっているのは、ストロボ光を照射したときの露出が、外光分にストロボ光を加えて適正となるように制御するためである。
【０１０１】
次に、＃１２０で、次式のようにシャッタースピード（ＴＶ）と、プリ発光の発光時間（ｔ＿ｐｒｅ）と、撮影者により設定される等する補正係数（ｃ）とを用いて相対比ｒを補正し、新たな相対比ｒを演算する。
【０１０２】
ｒ←ｒ＋ＴＶ−ｔ＿ｐｒｅ＋ｃ
ここで、シャッタースピード（ＴＶ）とプリ発光の発光時間（ｔ＿ｐｒｅ）を用いて補正するのは、ストロボ回路内で、プリ発光の測光積分値（ＩＮＴｐ）とメイン発光の測光積分値（ＩＮＴｍ）とを正しく比較するためである。
【０１０３】
次に、＃１２１で、メイン発光量を決定するためのプリ発光量の相対値（ｒ）をストロボに送信する。そして、＃１２２では、決められた露光値（ＥＶｓ）に基づく絞り値（ＡＶ）になるようにレンズマイコン１１２に指令を出すとともに、決められたシャッタースピード値（ＴＶ）になるようにシャッター制御回路１０７を介してシャッターを制御する。
【０１０４】
そして、シャッターの全開に同期してＳＷＸがＯＮすると（＃１２３）、これがメイン発光の命令としてストロボマイコン２００に伝わる。ストロボマイコン２００は、カメラから送られてきた相対値（ｒ）に基づいて適正な発光量になるようにメイン発光制御を行う。
【０１０５】
こうして一連の露光動作が終了すると、＃１２４で、撮影光路より退去させていた主ミラー２等をダウンして再び撮影光路内に斜設させ、モータ制御回路１０８とフイルム走行検知回路１０９とによりフィルムを１駒巻上げる。
【０１０６】
次に、図７を用いて、上述した＃１１７における被写体エリアの選出ルーチンについて説明する。まず、＃２０１で、カメラがＡＦモードであるか、ＭＦモードであるかを判別し、ＭＦモードであれば＃２０５以下の各ステップへ進み、ＡＦモードであれば＃２０２〜＃２０４へ進む。
【０１０７】
＃２０２では、＃１１６においてストロボから送られてきたバウンスフラグ（Ｆ＿Ｂｏｕｎｃｅ）が０であるか１であるかを判別し、１であるとストロボがバウンス状態であるとして＃２０３、２０４を行わずに＃２１１に進み、ストロボ光を適正にする被写体エリアの選出にレンズ焦点距離情報（ｆ）を考慮しない。すなわち、ストロボ１８がバウンス状態ということは、プリ発光が直接被写体に届いているわけではないので、＃２０３，２０４における判別ができない。したがって、＃２１１では、測距ポイントを含む測光エリア（Ｆｏｃｕｓ．Ｐ）をメイン発光量を適正に演算するために使用するエリアとして選出し、このルーチンを終える。
【０１０８】
一方、バウンスフラグ（Ｆ＿Ｂｏｕｎｃｅ）が０であれば、＃２０３，２０４へ進み、以下のような手順でレンズ焦点距離情報（ｆ）を考慮した測光エリアの選出を行う。
【０１０９】
＃２０３では、焦点距離情報（ｆ）とプリ発光量（Ｑｐｒｅ）と所定の定数（ｃ１）とにより、人物等の被写体がこれ以上遠い位置にいると１つの測光エリアに対して小さくなりすぎてしまう位置でのプリ発光反射光分（ＥＶｄｆ）を求め、これをｌｅｖｅｌ．１とする。
【０１１０】
これを図１０（Ａ）、（Ｂ）を用いて説明する。（Ａ）のように１つの測光エリアに対して人物が大きい場合は、そのエリアでプリ発光反射光分（ＥＶｄｆ）を正確に測光することができる。しかし、（Ｂ）のように１つの測光エリアに対して人物が小さい場合は、プリ発光の光の一部が人物の外側を抜けるため、すべての光が測光エリアに戻ってこない。よって、この場合のプリ発光反射光分（ＥＶｄｆ）は、人物の位置に標準反射率のグレーの壁があると仮定したものより低くなる。このため、この場合に、測光したままのプリ発光反射光分（ＥＶｄｆ）を用いてメイン発光量（相対比ｒ）を演算したのでは、メイン発光量が大きくなり過ぎて露出オーバーになってしまう。
【０１１１】
そこで、このような場合に露出オーバーになるか否か境界に設定されたレベルがｌｅｖｅｌ．１であり、このｌｅｖｅｌ．１としては、例えば、焦点距離５０ｍｍのレンズを用いる場合において約３ｍの位置に標準反射率のグレーの壁があるときに得られるプリ発光反射光分（ＥＶｄｆ）の値が用いられる。
【０１１２】
＃２０４では、測距ポイントのプリ発光反射光分（ＥＶｄｆ（Ｆｏｃｕｓ．Ｐ））が、前述のｌｅｖｅｌ．１より大きいか否かを判別し、大きいときは＃２１１へ進む。ここで、測距ポイントのプリ発光反射光分（ＥＶｄｆ（Ｆｏｃｕｓ．Ｐ））がｌｅｖｅｌ．１より大きいということは、測距ポイントを含む測光エリアに対して人物等の被写体が充分大きく、正確にプリ発光反射光分（ＥＶｄｆ）を測光できているということなので、測距ポイントを含む測光エリア（Ｆｏｃｕｓ．Ｐ）をメイン発光量を適正に演算するために使用するエリアとして選出し、このルーチンを終える。
【０１１３】
一方、測距ポイントのプリ発光反射光分（ＥＶｄｆ（Ｆｏｃｕｓ．Ｐ））がｌｅｖｅｌ．１より小さいときは＃２０５以下の各ステップへ進む。
【０１１４】
＃２０１でＭＦモードであると判別されたときおよび＃２０４でプリ発光反射光分（ＥＶｄｆ（Ｆｏｃｕｓ．Ｐ））がｌｅｖｅｌ．１より小さくて測距ポイントを含む測光エリアをメイン発光量を適正に演算するために用いるエリアとして選出できないときは＃２０５に進むが、この＃２０５では、中央の３点の測光エリア（Ｅ０，Ｅ１，Ｅ２）の中から、カメラに最も近い被写体が存するエリア（Ｃｌｏｓｅ．Ｐ）を抽出する。これは、被写体の中で一番近いところにあるものが主被写体である可能性が一番高いという考えに基づくものであり、具体的にはプリ発光反射光分（ＥＶｄｆ（ｉ））が最大となる測光エリアをＣｌｏｓｅ．Ｐとする。
【０１１５】
次に＃２０６では、＃１１６においてストロボから送られてきたバウンスフラグ（Ｆ＿Ｂｏｕｎｃｅ）が０であるか１であるかを判別し、１であるときはストロボ１８がバウンス状態であるとして＃２０７、２０８を行わずに＃２１２に進み、メイン発光量を適正にする測光エリアの選出にレンズ焦点距離情報（ｆ）を考慮しない。すなわち、ストロボ１８がバウンス状態ということは、プリ発光が直接被写体に届いているわけではないので、以下に説明する＃２０７，２０８における判別ができない。したがって、至近ポイントを含む測光エリア（Ｃｌｏｓｅ．Ｐ）をメイン発光量を適正に演算するために使用するエリアとして選出し、このルーチンを終える。
【０１１６】
一方、バウンスフラグ（Ｆ＿Ｂｏｕｎｃｅ）が０であるときは＃２０７、２０８へ進み、レンズ焦点距離情報（ｆ）を考慮して測光エリアの選出を行う。
【０１１７】
＃２０７では、焦点距離情報（ｆ）とプリ発光量（Ｑｐｒｅ）と所定の定数（ｃ２）とにより、人物等の被写体がこれ以上遠い位置にいると１つの測光エリアに対して小さくなりすぎてしまう位置でのプリ発光反射光分（ＥＶｄｆ）を求め、これをｌｅｖｅｌ．２とする。
【０１１８】
ｌｅｖｅｌ．２は、＃２０３で求めたｌｅｖｅｌ．１と同様の考え方で設定されるが、測距ポイントを更に重視するという考え方に基づいてｌｅｖｅｌ．１に比べて値を高めに設定してある。このため、人物などの被写体がカメラに多少近くて被写体の外側を抜けるプリ発光の光があまり多くなくても、プリ発光反射光分がｌｅｖｅｌ．２より小さくなる。なお、ｌｅｖｅｌ．２としては、例えば、焦点距離５０ｍｍのレンズを用いた場合において約２．５ｍの位置に標準反射率のグレーの壁があったときに得られるプリ発光反射光分（ＥＶｄｆ）の値が用いられる。
【０１１９】
＃２０８では、至近ポイントのプリ発光反射光分（ＥＶｄｆ（Ｃｌｏｓｅ．Ｐ））が、前述のｌｅｖｅｌ．２より大きいか否かを判別し、大きいときは＃２１２に進む。ここで、至近ポイントのプリ発光反射光分（ＥＶｄｆ（Ｃｌｏｓｅ．Ｐ））がｌｅｖｅｌ．２より大きいということは、至近ポイントを含む測光エリアに対して人物等の被写体が充分大きく、正確にプリ発光反射光分（ＥＶｄｆ）を測光できているということなので、至近ポイントを含む測光エリア（Ｃｌｏｓｅ．Ｐ）をメイン発光量を適正に演算するために使用するエリアとして選出し、このルーチンを終える。
【０１２０】
一方、至近ポイントのプリ発光反射光分（ＥＶｄｆ（Ｃｌｏｓｅ．Ｐ））がｌｅｖｅｌ．２より小さいときは＃２０９以下の各ステップへ進む。＃２０９では、至近ポイントのプリ発光反射光分（ＥＶｄｆ（Ｃｌｏｓｅ．Ｐ））がｌｅｖｅｌ．２より小さいときは人物などの被写体がかなり遠いか又は画面の周辺部分に存在していると判断して、中央の３点のエリア（Ｅ０，Ｅ１，Ｅ２）だけでなく、周辺のエリア（Ｅ３，Ｅ４）も考慮に入れてメイン発光量を適正に演算するために用いる測光エリアを選出する。
【０１２１】
ここで、この＃２０９について図９を用いて説明すると、まず＃４０１で、変数ｉに３を代入し、＃４０２で、エリアＥ３のプリ発光反射光分（ＥＶｄｆ（３））と前述のｌｅｖｅｌ．２とを比較する。プリ発光反射光分（ＥＶｄｆ（３））がｌｅｖｅｌ．２より低いときは、＃４０３に進んで、ＥＶｄｆ（ｉ）を補正し、
ＥＶｄｆ（ｉ）←（ＥＶｄｆ（ｉ）＋ｌｅｖｅｌ．２) ／  ２
とする。これは、図１０（Ｂ）のようにＥ０のエリアの周辺のＥ３のエリアのプリ発光反射光分（ＥＶｄｆ）でメイン発光量を演算しようとしたときに、Ｅ３のエリアに対して被写体はかなり小さく測光したままのプリ発光反射光分（ＥＶｄｆ）も標準反射率のグレーの壁があるときに比べて小さくなっているので、プリ発光反射光分（ＥＶｄｆ）を大きい値に補正するという考えに基づくものである。
【０１２２】
一方、プリ発光反射光分（ＥＶｄｆ（３））がｌｅｖｅｌ．２より大きいときは、
ＥＶｄｆ（ｉ）←ｌｅｖｅｌ．２
とする。これはＥ３等の周辺のセンサで、プリ発光反射光分（ＥＶｄｆ）がかなり大きいときは、被写体の前にテーブルやその他の障害物がある場合が多いので、その障害物に露出が合って主被写体の露出がアンダーにならないように、測光したプリ発光反射光分（ＥＶｄｆ）を小さい値に補正するという考えに基づく。＃４０３，４０４から＃４０５に進み、変数ｉに＋１を行う。今回のｉが３であった場合、ｉは４となる。そして、＃４０６で、変数ｉが４以下か否かを判別し、４以下のときは＃４０２から＃４０５を繰り返し、ｉ＝４のときはＥ４のセンサについて同様の処理を繰り返す。その後変数ｉが５になり、＃４０６でｉが４より大きいと判別したときは、このルーチンを終える。
【０１２３】
図７における＃２１０では、中央の３つの測光エリアのうち至近ポイントを含むエリアのプリ発光反射光分（ＥＶｄｆ（Ｃｌｏｓｅ．Ｐ））と、エリアＥ３，Ｅ４の＃２０９（＃４０１〜＃４０６）で算出した補正プリ発光反射光分（ＥＶｄｆ）のうち、最大のものを有する測光エリアをメイン発光量を適正に演算するために使用するエリアとして選出し、このルーチンを終える。
【０１２４】
次に、図８を用いて、上述した＃１１８における異常反射補正のルーチンについて説明する。まず、＃３０１では、＃１１６においてストロボ１８から送られてきたバウンスフラグ（Ｆ＿Ｂｏｕｎｃｅ）が０であるか１であるかを判別し、１であるときはストロボがバウンス状態であるのですぐにこのルーチンを終え、異常反射補正を行わない。
【０１２５】
一方、バウンスフラグ（Ｆ＿Ｂｏｕｎｃｅ）が０であれば、＃３０２以下の各ステップへ進み、異常反射補正を行う。＃３０２では、焦点距離情報（ｆ）とプリ発光量（Ｑｐｒｅ）と所定の定数（ｃ３）とにより、人物等の被写体がこれ以上近い位置にいることがほとんどあり得ない位置でのプリ発光反射光分（ＥＶｄｆ）を求め、これをｌｅｖｅｌ．３とする。
【０１２６】
このｌｅｖｅｌ．３としては、例えば、焦点距離５０ｍｍのレンズを用いた場合において約０．５ｍの位置に標準反射率のグレーの壁があったときに得られるプリ発光反射光分（ＥＶｄｆ）の値が用いられる。焦点距離５０ｍｍのレンズでは、最短撮影距離が約０．５ｍなのでそれ以上被写体が近いことはあり得ないという考えに基づくものである。
【０１２７】
＃３０３では、メイン発光量を適正に演算するために選出された測光エリアのプリ発光反射光分（ＥＶｄｆ（Ｐ））と前述のｌｅｖｅｌ．３とを比較し、プリ発光反射光分（ＥＶｄｆ（Ｐ））がｌｅｖｅｌ．３より小さければ、そのままこのルーチンを終える。
【０１２８】
一方、プリ発光反射光分（ＥＶｄｆ（Ｐ））がｌｅｖｅｌ．３より大きいときは、
ＥＶｄｆ（Ｐ）←ｌｅｖｅｌ．３
としてこのルーチンを終える。このようにプリ発光反射光分（ＥＶｄｆ（Ｐ））を補正することにより、メイン発光量をアンダー側に補正していることになる。以上説明したように、本実施形態によれば、メイン発光量の補正やメイン発光量演算のために使用する測光エリアの選出を、ストロボ１８がバウンス状態か否かで変更するようにしたため、常に適正な露光量が得られるカメラシステムを実現することができる。
【０１２９】
（第２実施形態）
なお、第１実施形態の図８の異常反射補正ルーチンに代えて、図１１に示す異常反射補正ルーチンを用いてもよい。このルーチンでは、図８のルーチンにて焦点距離情報（ｆ）を用いて求められたｌｅｖｅｌ．３の代わりに、被写体距離の最小値（Ｄｉｓｔ＿ｍｉｎ）および最大値（Ｄｉｓｔ＿ｍａｘ）を用いてそれぞれｌｅｖｅｌ．３．１およびｌｅｖｅｌ．３．２を求めている。
【０１３０】
まず、＃５０１で、＃１１６においてストロボから送られてきたバウンスフラグ（Ｆ＿Ｂｏｕｎｃｅ）が０であるか１であるかを判別し、１であるときはストロボがバウンス状態なのですぐにこのルーチンを終え、異常反射補正を行わない。
【０１３１】
一方、バウンスフラグ（Ｆ＿Ｂｏｕｎｃｅ）が０であれば、＃５０２以下の各ステップへ進み、異常反射補正を行う。
【０１３２】
＃５０２では、＃１０８においてレンズ１１から送られてきた被写体距離情報（Ｄｉｓｔ＿ｍｉｎ）とプリ発光量（Ｑｐｒｅ）と所定の定数（ｃ３．１）とにより、人物等の被写体がこれ以上近い位置にいることがあり得ない位置でのプリ発光反射光分（ＥＶｄｆ）を求め、これをｌｅｖｅｌ．３．１とする。
【０１３３】
そして、＃５０３で、メイン発光量を適正に演算するために選択された測光エリアのプリ発光反射光分（ＥＶｄｆ（Ｐ））と前述のｌｅｖｅｌ．３．１とを比較し、プリ発光反射光分（ＥＶｄｆ（Ｐ））がｌｅｖｅｌ．３．１よりも小さければ、＃５０４へ進む。一方、プリ発光反射光分（ＥＶｄｆ（Ｐ））がｌｅｖｅｌ．３．１よりも大きければステップ５０７へ進む。＃５０７では、
ＥＶｄｆ（Ｐ）←ｌｅｖｅｌ．３．１
として、このルーチンを終える。この補正後のプリ発光反射光分（ＥＶｄｆ（Ｐ））を用いてメイン発光量を演算することにより、メイン発光量をアンダー側に補正していることになる。
【０１３４】
＃５０４では、＃１０８においてレンズ１１から送られてきた被写体距離情報（Ｄｉｓｔ＿ｍａｘ）とプリ発光量（Ｑｐｒｅ）と所定の定数（ｃ３．２）とにより、人物等の被写体がこれ以上遠い位置にいることがあり得ない位置でのプリ発光反射光分（ＥＶｄｆ）を求め、これをｌｅｖｅｌ．３．２とする。
【０１３５】
そして、＃５０５で、メイン発光量を適正に演算するために選択された測光エリアのプリ発光反射光分（ＥＶｄｆ（Ｐ））と前述のｌｅｖｅｌ．３．２とを比較し、プリ発光反射光分（ＥＶｄｆ（Ｐ））がｌｅｖｅｌ．３．２よりも小さければ、＃５０６へ進む。＃５０６では、
ＥＶｄｆ（Ｐ）←ｌｅｖｅｌ．３．２
として、このルーチンを終える。この補正後のプリ発光反射光分（ＥＶｄｆ（Ｐ））を用いてメイン発光量を演算することにより、メイン発光量をオーバー側に補正していることになる。
【０１３６】
＃５０５でプリ発光反射光分（ＥＶｄｆ（Ｐ））がｌｅｖｅｌ．３．２よりも大きければ、レンズ１１から送られた距離情報の範囲とプリ発光反射光分（ＥＶｄｆ（Ｐ））の値がうまく適合していて異常は無いと判断され、特に補正は行わずにこのルーチンを終える。
【０１３７】
このように、本実施形態では、レンズ１１からの被写体距離の最大値と最小値を用いてメイン発光量の補正を行っているため、焦点距離を用いたときよりも、ガラス正反射などの異常反射などでメイン発光量がアンダーにならないようさらに正確にメイン発光量の補正ができる。また、反対に異常に黒い物体などがグレーにならず正しく黒く描写できるようにもなり、常に適正な露光量を得ることができる。
【０１３８】
なお、第１および第２実施形態では、レンズの距離情報等は本カメラシステムが自動的に検出するものとして説明しているが、撮影者がボタンなどの操作部材で距離情報等を入力できるようにしてもよい。
【０１３９】
また、これ以外にも、被写体の反射率情報を撮影者が本カメラシステムに入力する手段を設け、その情報によってメイン発光量を補正しても同様な結果が得られる。
【０１４０】
なお、第１および第２実施形態では、ストロボ１８がバウンス状態であることを検知して、メイン発光量を補正するようにしたが、バウンス状態の検知に代えて、ストロボ１８がカメラ本体１と離れた位置に配置されたことを検知したり、ストロボ１８がマクロ撮影用リングストロボであることを検知したりすることにより、上記と同様にしてメイン発光量を補正するようにしてもよい。
【０１４１】
（第３実施形態）
図１２〜図１５には、メイン発光量の制御を、最終的にフィルム面反射光を測光して行う場合の例を示している。図１２はカメラの横断面を示すが、図１とほとんど同じであり、異なる部分だけを説明すると、２３はフィルム面を測光するための測光レンズであり、２４はフィルム面測光センサである。フィルム面測光センサ２４は、画面内を多分割測光センサ７と同様に分割して測光し、測光情報を出力するようになっていて、それぞれのエリアは多分割測光センサ７のエリアと対応がとれている。
【０１４２】
図１３はカメラ本体側とレンズ側の回路ブロックであるが、図３とほとんど同じであり、異なる部分だけを説明すると、１１４はフィルム面反射測光回路である。このフィルム面反射測光回路２４は、フィルム面測光センサ２４の測光情報をカメラマイコン１００に伝達する。
【０１４３】
次に、図１４および図１５には、本実施形態の演算フローを示しているが、図１４のフローは、図５のフローにおける丸囲みのＡにつながっている。
【０１４４】
＃６１４〜＃６１７では、＃１１４〜＃１１７と同様の処理演算を行う。そして、＃６１８では、異常反射補正を行うが、これについては後で詳細に説明する。
【０１４５】
次に、＃６１９では、＃１２２と同様にシャッターと絞りを制御し、露光動作を開始させる。そして、シャッターの全開に同期してＳＷＸがＯＮになると（＃６２０）、これがメイン発光の命令としてストロボマイコン２００に伝わる。
【０１４６】
このメイン発光の命令と同時に、＃６２１では、フィルム面測光回路１１４を駆動し、フィルム面測光センサ２４の測光を開始させる。そして、＃６２２で、＃６１７で選出された測光エリアについて、フィルム面反射測光回路１１４の測光積分値が所定の値になることを判別すると、ストロボマイコン２００に発光停止命令を送り、ストロボ１８の発光を停止させる。なお、このときの所定量は、＃６１８の異常反射補正により補正された値である。＃６２３では、＃１２４と同様にして撮影を終了する。
【０１４７】
次に、図１５を用いて＃６１８で行われる異常反射補正のルーチンについて説明する。まず、＃７０１〜＃７０３では、図８の＃３０１〜＃３０３と同様の処理演算を行う。
【０１４８】
そして、＃７０３で、メイン発光量を適正に演算するために選出された測光エリアのプリ発光反射光分（ＥＶｄｆ（Ｐ））とｌｅｖｅｌ．３とを比較し、プリ発光反射光分（ＥＶｄｆ（Ｐ））が小さければ、補正量（ｃｏｍ＿ｌｅｖｅｌ）に０を代入し、このルーチンを終える。
【０１４９】
一方、プリ発光反射光分（ＥＶｄｆ（Ｐ））がｌｅｖｅｌ．３より大きいときは、＃７０５で、
ｃｏｍ＿ｌｅｖｅｌ←ＥＶｄｆ（Ｐ）−ｌｅｖｅｌ．３
として、このルーチンを終える。これにより、＃６２２において（適正−ｃｏｍ＿ｌｅｖｅｌ）でメイン発光を制御すれば、メイン発光量をアンダー側に補正していることになる。
【０１５０】
このように本実施形態によれば、フィルム面反射光測光によるストロボ光制御においても、バウンス撮影等の特殊な撮影に対しても装置が複雑になることなく、常に適正な露光量が得られる簡便なカメラシステムを実現することができる。なお、本発明は、ストロボがカメラ本体と別体であるカメラシステムにのみ適用されるものではなく、ストロボ一体カメラにも応用することができる。
【０１５１】
また、本発明は、一眼レフカメラにのみ適用されるものではなく、レンズシャッタカメラ、ビデオカメラ等、種々の形態のカメラ、さらにはカメラ以外の光学機器やその他の装置、さらにはそれらカメラや光学機器やその他の装置に適用される装置またはこれらを構成する要素に対しても適用できる。
【０１５２】
さらに、本発明は、以上の実施形態および変形例、またはそれら技術要素を必要に応じて組み合わせて用いてもよい。
【０１５３】
（実施形態と請求の範囲との関係）
上記実施形態において、バウンス検知スイッチＳＷＢは、請求の範囲にいうストロボの状態又は種類を検知する検知手段に、カメラマイコン１００の＃１１７，＃６１７が測光領域選択手段にそれぞれ相当する。
【０１５４】
なお、以上が本発明の各構成と実施形態の各構成の対応関係であるが、本発明はこれら実施形態の構成に限られるものではなく、請求項に示した機構または実施形態の構成が持つ機能が達成できる構成であればどのようなものであってもよい。
【０１５５】
【発明の効果】
以上説明したように、本願発明では、ストロボが通常状態又は種類であるかバウンス等の特殊状態又は種類であるかを検知し、この検知結果に応じて制御値の演算のために使用される測光領域を選択している。このため、この発明を用いれば、ストロボの状態や種類にかかわらず、常に適正な露光量が得られるようなメイン発光量を得ることができ、使いやすいカメラシステムを実現することができる。
【図面の簡単な説明】
【図１】本発明の第１実施形態であるカメラシステムの横断面図である。
【図２】上記第１実施形態のカメラシステムのファインダーを示す図である。
【図３】上記第１実施形態のカメラシステムのカメラ本体とレンズの電気回路ブロック図である。
【図４】上記第１実施形態のカメラシステムのストロボの電気回路ブロック図である。
【図５】上記第１実施形態のカメラシステムの処理演算フローである。
【図６】上記第１実施形態のカメラシステムの処理演算フローである。
【図７】上記第１実施形態のカメラシステムの処理演算フローである。
【図８】上記第１実施形態のカメラシステムの処理演算フローである。
【図９】上記第１実施形態のカメラシステムの処理演算フローである。
【図１０】上記第１実施形態のカメラシステムによる撮影例のファインダー図である。
【図１１】上記第１実施形態のカメラシステムの処理演算フローである。
【図１２】本発明の第２実施形態のカメラシステムの横断面図である。
【図１３】上記第２実施形態のカメラシステムのカメラ本体とレンズの電気回路ブロック図である。
【図１４】上記第２実施形態のカメラシステムの処理演算フローである。
【図１５】上記第２実施形態のカメラシステムの処理演算フローである。
【図１６】通常ストロボ撮影とストロボバウンス撮影の模式図である。
【符号の説明】
１９  キセノン管
２２  ストロボ接点群
３１  モニタセンサ（ＰＤ１）
７  多分割測光センサ
１００  カメラマイコン
１１３  カメラ本体の送受信回路
２００  ストロボマイコン
２０２  トリガ回路
２０３  発光制御回路
２１７  ストロボの送受信回路
Ｃ１  メインコンデンサ
ＳＷＢ  バウンス検知スイッチ
【図１】
0003706659.tif 000003
【図２】
0003706659.tif 000004
【図３】
0003706659.tif 000005
【図４】
0003706659.tif 000006
【図５】
0003706659.tif 000007
【図６】
0003706659.tif 000008
【図７】
0003706659.tif 000009
【図８】
0003706659.tif 000010
【図９】
0003706659.tif 000011
【図１０】
0003706659.tif 000012
【図１１】
0003706659.tif 000013
【図１２】
0003706659.tif 000014
【図１３】
0003706659.tif 000015
【図１４】
0003706659.tif 000016
【図１５】
0003706659.tif 000017
【図１６】
0003706659.tif 000018